(57)【要約】      （修正有）【課題】収納性がよく、短時間で使用を開始できる扇風機頭部を提供する。【解決手段】扇風機頭部１１２３は固定ベース１１２５と少なくとも２つの羽根１１２６を含み、固定ベース１１２５と羽根１１２６のうちいずれかの１つには結合軸１１２６１が取り付けられ、他の１つには軸孔が形成され、固定ベース１１２５と羽根１１２６との間は結合軸１１２６１と軸孔により回転可能に連結される。モーターが作動するとき、羽根１１２６はモーターの駆動により回転し、羽根１１２６は回転の遠心力により広がる。モーターが回転しないとき、羽根１１２６の向き方向と固定ベース１１２５が位置している平面との間には夾角が形成される。【選択図】図２Ｃ
0003227395.tif 000002
【実用新案登録請求の範囲】
【請求項１】
モーターに連結されかつモーターの駆動によって回転することにより風を形成する扇風機頭部であって、前記扇風機頭部は固定ベースと少なくとも２つの羽根を含み、前記固定ベースと羽根のうちいずれかの１つには結合軸が取り付けられ、他の１つには軸孔が形成され、前記固定ベースと前記羽根との間は前記結合軸と前記軸孔により回転可能に連結され、モーターが作動するとき、羽根はモーターの駆動により回転し、前記羽根は回転の遠心力により広がり、前記モーターが回転しないとき、前記羽根の向き方向と前記固定ベースが位置している平面との間には夾角が形成されることを特徴とする扇風機頭部。
【請求項２】
前記固定ベースは着脱可能に結合される上カバーと下カバーを含み、前記上カバー上には第一軸孔構造が形成され、前記第一軸孔構造は前記上カバーと下カバーの一側が突出することにより形成されかつ分離している２つの突出板で構成され、下カバーの端面には第二軸孔構造が形成され、前記第二軸孔構造には結合溝が形成され、上カバーと下カバーを結合させるとき、第一軸孔構造と第二軸孔構造により前記軸孔が形成され、上カバーの中心に近づいている突出板は前記結合溝内に結合されることを特徴とする請求項１に記載の扇風機頭部。
【請求項３】
前記結合軸は羽根上に取り付けられ、固定ベースには軸孔が形成され、前記軸孔上には切欠口が形成され、前記結合軸は切欠口によって軸孔に結合されることにより軸孔に相対して回転しかつ固定ベースと羽根を結合させるか、或いは、
前記結合軸は固定ベース上に取り付けられ、前記羽根には軸孔が形成され、前記軸孔上には切欠口が形成され、前記切欠口のサイズは結合軸のサイズより小さく、前記結合軸は切欠口によって軸孔に結合されることにより軸孔に相対して回転しかつ固定ベースと羽根を結合させることを特徴とする請求項１に記載の扇風機頭部。
【請求項４】
前記羽根の数量は２〜７個であり、前記羽根の向き方向と前記固定ベースが位置している平面との間には３０°〜９０°の角度が形成されることを特徴とする請求項１に記載の扇風機頭部。
【請求項５】
扇風機であって、前記扇風機は本体を含み、前記本体は本体部と送風部を含み、前記本体部は送風部に連結され、前記送風部はモーターと扇風機頭部を含み、前記扇風機頭部は固定ベースと少なくとも２つの羽根を含み、前記固定ベースと羽根のうちいずれかの１つには結合軸が取り付けられ、他の１つには軸孔が形成され、前記固定ベースと前記羽根との間は前記結合軸と前記軸孔により回転可能に連結され、前記モーターは固定ベースに固定連結され、モーターが作動するとき、羽根はモーターの駆動により回転し、前記羽根は回転の遠心力により広がり、前記モーターが回転しないとき、前記羽根の向き方向と前記固定ベースが位置している平面との間には夾角が形成されることを特徴とする扇風機。
【請求項６】
前記結合軸は羽根上に取り付けられ、固定ベースには軸孔が形成され、前記軸孔上には切欠口が形成され、前記結合軸は切欠口によって軸孔に結合されることにより軸孔に相対して回転しかつ固定ベースと羽根を結合させるか、或いは、
前記結合軸は固定ベース上に取り付けられ、前記羽根には軸孔が形成され、前記軸孔上には切欠口が形成され、前記切欠口のサイズは結合軸のサイズより小さく、前記結合軸は切欠口によって軸孔に結合されることにより軸孔に相対して回転しかつ固定ベースと羽根を結合させることを特徴とする請求項５に記載の扇風機。
【請求項７】
前記羽根の数量は２〜７個であり、前記羽根の向き方向と前記固定ベースが位置している平面との間には３０°〜９０°の角度が形成されることを特徴とする請求項５に記載の扇風機。
【請求項８】
前記扇風機はカバーを更に含み、前記カバーは本体の一端に着脱可能に連結され、前記本体は弾性部を更に含み、前記本体部は弾性部により送風部に連結され、カバーを本体上に結合させるとき送風部はカバー内に位置しかつ弾性部は圧縮され、カバーを本体から分離させるとき、前記弾性部を圧縮する力がなくなってしまい、かつ弾性部が元の状態に回復する弾力により送風部は前記本体と一定の角度をなすまでに回転することを特徴とする請求項５に記載の扇風機。
【請求項９】
前記本体部は、本体ケース、電源モジュールおよび調節スイッチを含み、前記電源モジュールは送風部と調節スイッチにそれぞれ電気接続され、前記電源モジュールは本体ケース内に取り付けられ、前記調節スイッチは本体ケースの表面から露出しておりかつ本体ケースに相対して滑動し、前記調節スイッチは前記電源モジュールが前記送風部に電気を供給するパワーを調節することを特徴とする請求項８に記載の扇風機。
【請求項１０】
前記カバーと本体を連結させるとき、前記カバーは調節スイッチの滑動方向に当接し、前記調節スイッチのカバーに近づいている一端には突起部が形成され、前記本体ケース上には前記カバーと結合固定される切欠口が形成され、前記カバーと前記本体を連結させるとき、前記突起部は前記切欠口内に挿入されかつ切欠口内に固定されるカバーに当接することにより前記スイッチがオフ状態になるようにすることを特徴とする請求項９に記載の扇風機。
【請求項１１】
前記本体ケース上には開口が更に形成され、前記調節スイッチは開口の方向に滑動し、前記突起部は前記開口により前記切欠口内に挿入され、前記突起部の長さは前記調節スイッチが前記開口内で滑動する距離より大きいことを特徴とする請求項１０に記載の扇風機。
【請求項１２】
前記電源モジュールは、回路基板、セル、入力ポートおよび出力ポートを更に含み、前記回路基板は、調節スイッチ、セル、入力ポート、出力ポートおよび送風部にそれぞれ電気接続され、前記セルは電気を供給し、前記入力ポートの一部分は前記本体ケースの表面から露出し、前記入力ポートを外部の電源に電気接続させることによりセルを充電し、前記出力ポートの一部分は前記本体ケースの表面から露出し、前記出力ポートを外部の電子装置に電気接続させることによりその電子装置を充電することを特徴とする請求項９に記載の扇風機。
【請求項１３】
前記電源モジュールはパイロットランプを更に含み、前記パイロットランプは本体ケースに取り付けられかつ本体ケースの表面から露出し、前記パイロットランプは回路基板に電気接続され、前記パイロットランプは前記電源モジュールの充放電状態を表示し、前記本体ケースの他端には挿入溝が形成され、前記カバーを挿入溝に挿入することによりカバーを挿入溝に結合連結させかつ本体のサイズを増加させることを特徴とする請求項１２に記載の扇風機。
【考案の詳細な説明】
【技術分野】
【０００１】
本考案は、扇風機の技術分野に関し、特に、扇風機頭部および扇風機に関するものである。
【背景技術】
【０００２】
小型扇風機は携帯性がよいという利点を有しているので、使用者の注目を集めている。
【０００３】
市販されている多数の小型扇風機の羽根はいずれも、柔軟性材料で製造される。その目的は、羽根が回転するとき使用者に怪我を負わせるか或いは外部の物体と衝突することにより羽根が破損されることを防止することにある。しかしながら、柔軟性材料で製造される羽根を収納させるときに外部の物体と接触して羽根が曲げられるので、それを完全に広げるのに多くの時間がかかるおそれがある。したがって、使用者は短い時間内に小型扇風機を使用することができず、使用者の体験が低下するおそれがある。
【０００４】
そのため、小型扇風機の収納性がよくなくかつ使用に影響を与えることを避けることは重要な課題になっている。
【考案の概要】
【考案が解決しようとする課題】
【０００５】
前記技術的課題を解決するため、本考案は下記扇風機頭部および扇風機を提供する。
【課題を解決するための手段】
【０００６】
従来の技術的課題を解決するため本考案は扇風機頭部を提供する。前記扇風機頭部は固定ベースと少なくとも２つの羽根を含み、前記固定ベースと羽根のうちいずれかの１つには結合軸が取り付けられ、他の１つには軸孔が形成され、前記固定ベースと前記羽根との間は前記結合軸と前記軸孔により回転可能に連結される。モーターが作動するとき、羽根はモーターの駆動により回転し、前記羽根は回転の遠心力により広がり、前記モーターが回転しないとき、前記羽根の向き方向と前記固定ベースが位置している平面との間には夾角が形成される。
【０００７】
好ましくは、前記固定ベースは着脱可能に結合される上カバーと下カバーを含み、前記上カバー上には第一軸孔構造が形成され、前記第一軸孔構造は前記上カバーと下カバーの一側が突出することにより形成されかつ分離している２つの突出板で構成され、下カバーの端面には第二軸孔構造が形成され、前記第二軸孔構造には結合溝が形成される。上カバーと下カバーを結合させるとき、第一軸孔構造と第二軸孔構造により前記軸孔が形成され、上カバーの中心に近づいている突出板は前記結合溝内に結合される。
【０００８】
好ましくは、前記結合軸は羽根上に取り付けられ、固定ベースには軸孔が形成され、前記軸孔上には切欠口が形成され、前記結合軸は切欠口によって軸孔に結合されることにより軸孔に相対して回転しかつ固定ベースと羽根を結合させるか、或いは、前記結合軸は固定ベース上に取り付けられ、前記羽根には軸孔が形成され、前記軸孔上には切欠口が形成され、前記切欠口のサイズは結合軸のサイズより小さく、前記結合軸は切欠口によって軸孔に結合されることにより軸孔に相対して回転しかつ固定ベースと羽根を結合させる。
【０００９】
好ましくは、前記羽根の数量は２〜７個であり、前記羽根の向き方向と前記固定ベースが位置している平面との間には３０°〜９０°の角度が形成される。
【００１０】
従来の技術的課題を解決するため本考案は扇風機を提供する。前記扇風機は本体を含み、前記本体は本体部と送風部を含み、前記本体部は送風部に連結され、前記送風部はモーターと扇風機頭部を含む。前記扇風機頭部は固定ベースと少なくとも２つの羽根を含み、前記固定ベースと羽根のうちいずれかの１つには結合軸が取り付けられ、他の１つには軸孔が形成され、前記固定ベースと前記羽根との間は前記結合軸と前記軸孔により回転可能に連結され、前記モーターは固定ベースに固定連結される。モーターが作動するとき、羽根はモーターの駆動により回転し、前記羽根は回転の遠心力により広がり、前記モーターが回転しないとき、前記羽根の向き方向と前記固定ベースが位置している平面との間には夾角が形成される。
【００１１】
好ましくは、前記結合軸は羽根上に取り付けられ、固定ベースには軸孔が形成され、前記軸孔上には切欠口が形成され、前記結合軸は切欠口によって軸孔に結合されることにより軸孔に相対して回転しかつ固定ベースと羽根を結合させるか、或いは、前記結合軸は固定ベース上に取り付けられ、前記羽根には軸孔が形成され、前記軸孔上には切欠口が形成され、前記切欠口のサイズは結合軸のサイズより小さく、前記結合軸は切欠口によって軸孔に結合されることにより軸孔に相対して回転しかつ固定ベースと羽根を結合させる。
【００１２】
好ましくは、前記羽根の数量は２〜７個であり、前記羽根の向き方向と前記固定ベースが位置している平面との間には３０°〜９０°の角度が形成される。
【００１３】
好ましくは、前記扇風機はカバーを更に含み、前記カバーは本体の一端に着脱可能に連結され、前記本体は弾性部を更に含み、前記本体部は弾性部により送風部に連結される。カバーを本体上に結合させるとき送風部はカバー内に位置しかつ弾性部は圧縮され、カバーを本体から分離させるとき、前記弾性部を圧縮する力がなくなってしまい、かつ弾性部が元の状態に回復する弾力により送風部は前記本体と一定の角度をなすまでに回転する。
【００１４】
好ましくは、前記本体部は、本体ケース、電源モジュールおよび調節スイッチを含み、前記電源モジュールは送風部と調節スイッチにそれぞれ電気接続され、前記電源モジュールは本体ケース内に取り付けられ、前記調節スイッチは本体ケースの表面から露出しておりかつ本体ケースに相対して滑動し、前記調節スイッチは前記電源モジュールが前記送風部に電気を供給するパワーを調節する。
【００１５】
好ましくは、前記カバーと本体を連結させるとき、前記カバーは調節スイッチの滑動方向に当接し、前記調節スイッチのカバーに近づいている一端には突起部が形成され、前記本体ケース上には前記カバーと結合固定される切欠口が形成される。前記カバーと前記本体を連結させるとき、前記突起部は前記切欠口内に挿入されかつ切欠口内に固定されるカバーに当接することにより前記スイッチがオフ状態になるようにする。
【００１６】
好ましくは、前記本体ケース上には開口が更に形成され、前記調節スイッチは開口の方向に滑動し、前記突起部は前記開口により前記切欠口内に挿入され、前記突起部の長さは前記調節スイッチが前記開口内で滑動する距離より大きい。
【００１７】
好ましくは、前記電源モジュールは、回路基板、セル、入力ポートおよび出力ポートを更に含み、前記回路基板は、調節スイッチ、セル、入力ポート、出力ポートおよび送風部にそれぞれ電気接続され、前記セルは電気を供給し、前記入力ポートの一部分は前記本体ケースの表面から露出し、前記入力ポートを外部の電源に電気接続させることによりセルを充電し、前記出力ポートの一部分は前記本体ケースの表面から露出し、前記出力ポートを外部の電子装置に電気接続させることによりその電子装置を充電する。
【００１８】
好ましくは、前記電源モジュールはパイロットランプを更に含み、前記パイロットランプは本体ケースに取り付けられかつ本体ケースの表面から露出し、前記パイロットランプは回路基板に電気接続され、前記パイロットランプは前記電源モジュールの充放電状態を表示し、前記本体ケースの他端には挿入溝が形成され、前記カバーを挿入溝に挿入することによりカバーを挿入溝に結合連結させかつ本体のサイズを増加させる。
【考案の効果】
【００１９】
従来の技術と比較してみると、本考案の扇風機頭部および扇風機により、下記の考案の効果を奏することができる。
１、固定ベースと羽根は結合軸により結合され、固定ベースと羽根との間の結合の摩擦力が羽根の重力より大きいか、或いは、等しいことにより、羽根が結合軸の方向に収縮収納されるとき、羽根の重力により羽根が自由に広がることを防止することができる。また、モーターの駆動により羽根が回転するとき形成される遠心力により羽根が広がりかつ風を形成することができるので、扇風機頭部を有効に収納させかつ収納される扇風機の送風の効果に影響を与えることを防止することができる。
【００２０】
２、軸孔は上カバーと下カバーの結合により形成されるので、結合軸の着脱を容易にすることができる。
【００２１】
３、結合軸は上カバーまたは下カバー上に取り付けられ、軸孔は羽根上に形成され、結合軸は軸孔内に結合される。切欠口のサイズが結合軸のサイズより小さいことにより、切欠口により軸孔内に結合される結合軸が切欠口から容易に離脱することを防止し、羽根と固定ベースが連結される安定性を向上させることができる。
【００２２】
４、固定ベースと羽根のうちいずれかの１つには結合軸が取り付けられ、他の１つには軸孔が形成され、軸孔上には切欠口が形成されている。結合軸が切欠口により軸孔内に結合されるとき、切欠口のサイズが結合軸のサイズより小さいことにより、切欠口により軸孔内に結合される結合軸が切欠口から容易に離脱することを防止し、羽根と固定ベースが連結される安定性を向上させることができる。
【００２３】
５、扇風機頭部は２つないし７つの羽根を含むので、羽根の数量が少ないことにより送風の速度が低下し、使用者の体験が低下するおそれがない。風量が同様である場合、より多い羽根が取り付けられる扇風機頭部により柔軟な風を形成し、かつ扇風機頭部のノイズを低減することができる。送風のノイズが同様である場合、より多い羽根が取り付けられる扇風機頭部により送風量を増加させることができる。
【００２４】
６、弾性部が取り付けられているので、カバーを取り外すとき弾性部の弾力により送風部は本体部と一定の夾角が形成される位置まで回転することができる。したがって、使用者が本体部を把持するとき腕をひねらなくても送風部を回転させ、送風部が使用者と対向するようにすることができ、使用の体験を向上させることができる。
【００２５】
７、電源モジュールは出力ポートを更に含む。出力ポートが設けられることにより扇風機を電子装置の非常用電池として用いることができる。使用者の周辺に電気と非常用電池がない場合、出力ポートを外部の電子装置に電気接続させることによりその電子装置を充電し、その電子装置を自由に充電できない技術的課題を解決することができる。
【００２６】
８、パイロットランプが取り付けられることにより、使用者が電源モジュールの作動状態をよく把握するように提示することができる。
【００２７】
９、挿入溝が形成されることにより本体ケースのサイズを増加させることができる。本体ケースのサイズが小さいことにより使用者がそれを容易に把持できない場合、カバーで本体ケースのサイズを増加させることにより使用者が把持を容易にすることができる。また、取り外したカバーを挿入溝に挿入することによりカバーが紛失される確率を低減することができる。
【図面の簡単な説明】
【００２８】
【図１Ａ】本考案の扇風機を示す斜視構造図である。
【図１Ｂ】図１Ａに示される扇風機を示す分解構造図である。
【図１Ｃ】本考案の扇風機の本体を示す斜視構造図である。
【図１Ｄ】本考案の扇風機の本体の一部分の断面を示す構造図である。
【図２Ａ】本考案の扇風機の送風部を示す分解構造図である。
【図２Ｂ】本考案の扇風機の扇風機頭部を示す斜視構造図である。
【図２Ｃ】本考案の扇風機の扇風機頭部を示す分解構造図である。
【図２Ｄ】本考案の扇風機頭部の第一変形例を示す分解構造図である。
【図２Ｅ】本考案の扇風機頭部の第二変形例を示す分解構造図である。
【図３】本考案の扇風機の本体部を示す分解構造図である。
【図４Ａ】本考案の扇風機の送風部、弾力部およびカバーを示す分解構造図である。
【図４Ｂ】図４Ａを他の角度に観察することを示す図である。
【図４Ｃ】本考案の扇風機の本体の一部分の他の断面を示す構造図である。
【図５Ａ】本考案の扇風機のカバーと調節スイッチを示す斜視構造図である。
【図５Ｂ】本考案の扇風機の一部分の断面を示す構造図である。
【考案を実施するための形態】
【００２９】
本考案の目的、技術的事項および考案の効果をより詳細に説明するため、以下、図面と実施例により本考案をより詳細に説明する。注意されたいことは、下記具体的な実施例は本考案を説明するためのものであるが、本考案を限定するものでない。
【００３０】
図１Ａと図１Ｂを参照すると、本考案の第一実施例に係る扇風機１０は本体１１とカバー１２を含む。本体１１の一端はカバー１２に着脱可能に連結され、カバー１２を本体１１から分離させた後、本体１１により形成される風を使用者に供給することができる。
【００３１】
図１Ｃと図１Ｄを一緒に参照すると、本体１１は本体部１１１と送風部１１２を含む。本体部１１１は送風部１１２に連結される。本体部１１１は送風部１１２が本体部に相対して移動しないように固定させかつ送風部１１２の送風速度を制御する。送風部１１２は風を形成して使用者に供給し、前記本体部１１１はカバー１２に着脱可能に連結される。
【００３２】
本考案において、本体１１は弾性部１１３を更に含む。本体部１１１は弾性部１１３により送風部１１２に連結される。送風部１１２を本体１１上に結合させるとき、送風部１１２はカバー１２内に位置し、弾性部１１３は本体部１１１とカバー１２の圧力により圧縮される。送風部１１２を本体１１から分離させるとき、弾性部１１３は元の状態に回復し、弾性部１１３の弾力により送風部１１２は一定の角度に傾斜するように一定の角度まで回転することができる。そのとき、送風部１１２と本体部１１１との間に一定の角度が形成されるので、使用者が本体部１１１を把持するとき腕をひねらなくても、送風部１１２が使用者と対向するようにすることができる。本実施例において、弾性部１１３はスプリングであり、前記スプリングの一端は本体部１１１に当接し、他端は前記送風部１１２に当接することができる。
【００３３】
本考案の他の実施例において、本体部１１１と送風部１１２は固定連結され、使用者はカバー１２を本体部１１１から外した後本体部１１１を握ることにより扇風機を把持することができる。
【００３４】
図１Ｄを一緒に参照すると、本体部１１１上には止動部１１１３４が形成され、前記止動部１１１３４は弾性部１１３の弾性変性の路線上に形成され、弾性部１１３の弾力により送風部１１２が一定の角度まで回転するとき、止動部１１１３４により送風部１１２を停止させることができる。それにより弾性部１１３が過度に回転することと送風部１１２の圧力により弾性部１１３の弾性がなくなることを防止することができる。止動部１１１３４の具体的な高さは実際の需要と回転の角度により適当に設けることができる。本実施例において、送風部１１２の本体部１１１に近づいている一端に面取りを形成することにより、送風部１１２が弾性部１１３の弾力により回転するとき、送風部１１２が本体部１１１と当接することにより送風部１１２の正常の回転を妨害することを防止することができる。
【００３５】
弾性部１１３の弾力により送風部１１２が回転する角度は弾性部１１３の弾力の範囲と止動部１１１３４により決められる。本実施例において、弾性部１１３の弾力により送風部１１２が角度Ａまで回転するとき、止動部１１１３４により送風部１１２が停止されることができる。角度Ａは３０°〜９０°であり、具体的に３０°、４５°、６０°または９０°であることができる。
【００３６】
図２Ａを参照すると、送風部１１２はモーター１１２１、ケース１１２２および扇風機頭部１１２３を含む。前記モーター１１２１はケース１１２２内に取り付けられる。モーター１１２１は出力端１１２４を含む。前記出力端１１２４はケース１１２２から外部へ突出するとともに扇風機頭部１１２３に固定連結される。モーター１１２１が作動するとき、出力端１１２４の駆動により扇風機頭部１１２３が回転する。
【００３７】
図２Ａを参照すると、扇風機頭部１１２３は固定ベース１１２５と少なくとも２つの羽根１１２６を含む。羽根１１２６は固定ベース１１２５に連結され、固定ベース１１２５は出力端１１２４に固定連結される。モーター１１２１が作動しないとき、羽根１１２６は自然の下垂状態になり、モーター１１２１が作動するとき、出力端１１２４の駆動により羽根１１２６は回転し、羽根１１２６は回転の遠心力により広がる。羽根１１２６は回転平面上の投影面積が最大になるまで広がることができる。本実施例において、各扇風機頭部１１２３は２つないし７つの羽根１１２６を含むことができる。２つないし３つの羽根１１２６が取り付けられる扇風機頭部１１２３である場合、羽根１１２６の数量が少ないことにより送風の速度が低下しかつ使用者の体験が低下するおそれがない。風量が同様である場合、より多い羽根１１２６が取り付けられる扇風機頭部１１２３により柔軟な風を形成し、かつ扇風機頭部１１２３のノイズを低減することができる。送風のノイズが同様である場合、より多い羽根１１２６が取り付けられる扇風機頭部１１２３により送風量を増加させることができる。
【００３８】
本実施例において、送風部１１２は無羽根扇風機（図示せず）（無羽根扇風機を空気倍増機（Air  Multiplier）ともいう。無羽根扇風機は羽根によらなくても自然の風を形成することができる。前記無羽根扇風機の原理は次のとおりである。無羽根扇風機に取り付けられる４０ワットのモーターが毎秒３３リットルの空気をベースの内部に送入し、その空気が加速装置に加速されることによりその空気の流動速度は最大１６倍左右になることができる。その空気が無羽根扇風機頭部の環状の通路を包囲するとき、包囲の作用力により扇風機頭部の付近の空気を扇風機頭部に吸入した後、その空気を外部に高速に送出することができる）を含むこともできる。前記送風部１１２に羽根を設ける必要がないので、埃の落下と使用者に怪我を負わせることを防止することができる。しかしながら、本考案はそれにのみに限定されるものでなく、送風部１１２により風を形成することができる構造であればいずれもよい。
【００３９】
図２Ｂと図２Ｃを参照すると、固定ベース１１２５は着脱可能に結合される上カバー１１２５１と下カバー１１２５２を含む。前記羽根１１２６は結合軸１１２６１を含む。前記上カバー１１２５１と下カバー１１２５２が結合されるときその間には軸孔が形成され、前記結合軸１１２６１は前記軸孔に収納されかつ軸孔に相対して回転することにより固定ベース１１２５と羽根１１２６を結合させる。具体的に、上カバー１１２５１は開口が形成される第一軸孔構造１１２５４を含む。第一軸孔構造１１２５４は間隔を空けて形成される２つの突出板で構成され、第一軸孔構造１１２５４は上カバー１１２５１と下カバー１１２５２の一側が突出することにより形成される。下カバー１１２５２上には第二軸孔構造１１２５６が形成されている。第二軸孔構造１１２５６は下カバー１１２５２の端面から突出し、第二軸孔構造１１２５６の中央には結合溝１１２５７が形成されている。上カバー１１２５１と下カバー１１２５２を結合させるとき、第一軸孔構造１１２５４と第二軸孔構造１１２５６により前記軸孔が形成される。そのとき、上カバー１１２５１の中心に近づいている第一軸孔構造１１２５４の突出板は前記結合溝１１２５７内に結合される。第一軸孔構造１１２５４と第二軸孔構造１１２５６の形成位置を取り替えることができる。
【００４０】
図２Ｃを一緒に参照すると、前記羽根１１２６は羽根部１１２６２と結合部１１２６３を含む。結合軸１１２６１は前記結合部１１２６３上に取り付けられる。結合部１１２６３は結合孔１１２６４を更に含む。結合孔１１２６４は羽根部１１２６２と結合軸１１２６１との間に形成される。前記羽根１１２６が回転可能に軸孔内に結合されるとき、第一軸孔構造１１２５４と第二軸孔構造１１２５６の一部分は前記結合孔１１２６４に挿入される。具体的に、結合孔１１２６４には前記第一軸孔構造１１２５４の中心から離れている１つの突出板が挿入される。
【００４１】
本実施例において、モーター１１２１の作動が停止するとき、前記固定ベース１１２５が位置している平面と羽根１１２６の向き方向との間には３０°〜９０°の角度が形成される。前記固定ベース１１２５と羽根１１２６との間の結合摩擦力は羽根１１２６の重力より大きいか、或いは、等しいので、羽根１１２６が結合軸１１２６１の方向に収縮収納されるとき、羽根１１２６の重力により羽根１１２６が自由に広がることを防止することができる。羽根１１２６と固定ベース１１２５との間の摩擦力はモーター１１２１の駆動により羽根１１２６が回転するとき形成される遠心力より小さい。したがって、モーター１１２１が作動するとき、回転している羽根１１２６は遠心力により回転しながら広がることができる。本実施例において、第一軸孔構造１１２５４と第二軸孔構造１１２５６の内側が円弧型の構造に形成されることにより、羽根１１２６がモーター１１２１の駆動により回転するとき結合軸１１２６１は軸孔に相対して迅速に回転することができ、羽根１１２６は回転平面上の投影面積が最大になるまで迅速に広がることができる。
【００４２】
図２Ｄを参照すると、本考案の扇風機頭部１１２３の第一変形実施例である扇風機頭部２１２３が示されている。その扇風機頭部２１２３は固定ベース２１２５と羽根２１２６を含む。前記固定ベース２１２５は着脱可能に結合される上カバー２１２５１と下カバー２１２５２を含む。上カバー２１２５１上には結合軸２１２６１が形成され、羽根２１２６は軸孔２１２５３を含む。軸孔２１２５３上には切欠口２１２５７が形成され、前記軸孔２１２５３の切欠口２１２５７に結合軸２１２６１を結合させることにより固定ベース２１２５と羽根２１２６を結合させることができる。本実施例において、前記切欠口２１２５７の開口のサイズが結合軸２１２６１のサイズより小さいので、軸孔２１２５３内に結合される結合軸２１２６１が切欠口２１２５７から容易に離脱することができない。
【００４３】
注意されたいことは、結合軸２１２６１を下カバー２１２５２上に設けることもでき、結合軸２１２６１と軸孔２１２５３を結合させることができる構造であればいずれもよい。
【００４４】
図２Ｅを参照すると、本考案の扇風機頭部１１２３の第二変形実施例である扇風機頭部３１２３が示されている。その扇風機頭部３１２３は固定ベース３１２５と羽根３１２６を含む。前記羽根３１２６上には結合軸３１２６１が形成され、固定ベース３１２５上には軸孔３１２５３が形成され、前記軸孔３１２５３上には切欠口３１２５７が形成され、前記結合軸３１２６１は前記切欠口３１２５７により軸孔３１２５３に挿入されかつ軸孔３１２５３に相対して回転することにより固定ベース３１２５と羽根３１２６を結合させる。前記切欠口３１２５７の開口のサイズが結合軸３１２６１のサイズより小さいので、軸孔３１２５３内に結合される結合軸３１２６１が切欠口３１２５７から容易に離脱することができない。
【００４５】
注意されたいことは、結合軸３１２６１を固定ベース３１２５上に設け、軸孔３１２５３を羽根３１２６上に設けることもでき、結合軸３１２６１と軸孔３１２５３を結合させる構造であればいずれもよい。
【００４６】
図３を参照すると、本体部１１１は本体ケース１１１１と電源モジュール１１１２と調節スイッチ１１１５とを含む。電源モジュール１１１２は本体ケース１１１１内に取り付けられる。具体的に、本体ケース１１１１は本体カバー１１１３と筒体１１１４を含む。本体カバー１１１３と筒体１１１４は固定連結される。本体カバー１１１３と筒体１１１４との間には収納空間が形成され、電源モジュール１１１２は前記収納空間内に収納される。調節スイッチ１１１５は電源モジュール１１１２と前記送風部１１２との間に取り付けられるとともに前記電源モジュール１１１２に電気接続されることにより前記電源モジュール１１１２が前記送風部１１２に電気を供給するパワーを調節する。
【００４７】
図３を参照すると、電源モジュール１１１２は、回路基板１１１６、セル１１１７、入力ポート１１１８および出力ポート１１１９を更に含む。回路基板１１１６はセル１１１７、入力ポート１１１８および出力ポート１１１９にそれぞれ電気接続される。前記回路基板１１１６が送風部１１２のモーター１１２１にも電気接続されることにより送風部１１２の送風速度を調節することができる。前記セル１１１７は電気を供給する。前記入力ポート１１１８の一部分は筒体１１１４の表面から露出し、その露出部分を外部の電源に電気接続させることによりセル１１１７を充電し、前記出力ポート１１１９の一部分は筒体１１１４の表面から露出し、その露出部分を外部の電子装置に電気接続させることによりその電子装置を充電することができる。
【００４８】
前記調節スイッチ１１１５は回路基板１１１６に電気接続され、前記調節スイッチ１１１５は筒体１１１４の表面から露出している。本考案の送風部１１２の送風速度はモーター１１２１の回転速度を意味し、モーター１１２１の回転速度が増加すると、送風速度も増加し、モーター１１２１の回転速度が低下すると、送風速度も低下する。本考案の扇風機１０は良好な送風性能を有しており、かつその扇風機１０を電子装置の非常用電池として用いることができる。扇風機１０を携帯型電池として用いることにより扇風機１０の機能を豊富にすることができる。
【００４９】
本実施例において、電源モジュール１１１２はパイロットランプ１１２０を更に含む。パイロットランプ１１２０は回路基板１１１６に電気接続される。パイロットランプ１１２０は本体ケース１１１１に取り付けられかつ本体ケース１１１１の表面から露出する。パイロットランプ１１２０は電源モジュール１１１２の充放電状態を表示する。使用者はパイロットランプ１１２０によりセル１１１７の作動状態を把握することができる。
【００５０】
注意されたいことは、前記電源モジュール１１１２は直流電気または交流電気に電気接続される構造であることもできる。他の実施例において、前記電源モジュール１１１２はドライセルのようなエネルギー貯蔵装置を更に含むことができる。
【００５１】
図３を参照すると、本体ケース１１１１の一端はカバー１２に着脱可能に連結され、本体ケース１１１１の他端には挿入溝１１１４１が形成されている。カバー１２を挿入溝１１１４１に挿入することによりカバー１２を挿入溝１１１４１に結合連結させかつ本体ケース１１１１のサイズを増加させることができる。本体ケース１１１１のサイズが小さいことにより使用者がそれを容易に把持できない場合、カバー１２で本体ケース１１１１のサイズを増加させることにより使用者が把持を容易にすることができる。また、取り外したカバー１２を挿入溝１１１４１に挿入することによりカバー１２が紛失される確率を低減し、扇風機１０の完全性を確保することができる。
【００５２】
図４Ａ、図４Ｂおよび図４Ｃを参照すると、ケース１１２２の一端には第一収納溝１１２７が形成され、本体カバー１１１３上には第二収納溝１１１３１が形成され、前記弾性部１１３の一端は第一収納溝１１２７内に収納され、弾性部１１３の他端は第二収納溝１１１３１内に収納される。
【００５３】
本実施例において、第一収納溝１１２７の前記ケース１１２２の一側には第一位置決め部１１２８が形成され、第二収納溝１１１３１内には第二位置決め部１１１３２が形成され、第一位置決め部１１２８と第二位置決め部１１１３２が結合されることにより送風部１１２が本体部１１１から離脱することを防止することができる。具体的に、第一位置決め部１１２８と第二位置決め部１１１３２が軸孔により結合されることにより結合連結を形成しかつ送風部１１２が本体部１１１から離脱することを防止することができる。軸孔による結合により弾性部１１３は軸線を中心として弾性変形と回転をすることができる。具体的に、第一位置決め部１１２８は軸であり、第二位置決め部１１１３２は孔であるが、本考案はそれにのみ限定されるものでない。例えば第一位置決め部１１２８は孔であり、第二位置決め部１１１３２は軸であることもできる。第一位置決め部１１２８と第二位置決め部１１１３２が結合されることにより送風部１１２が本体部１１１から離脱することを防止することができる構造であればいずれもよい。
【００５４】
本考案において、第一位置決め部１１２８と第二位置決め部１１１３２による軸と孔の結合により、送風部１１２と本体部１１１の位置を制限し、かつ弾性部１１３が送風部１１２を回転させるとき送風部１１２が本体部１１１から離脱することを防止することができる。本実施例において、前記止動部１１１３４は本体カバー１１１３の第二収納溝１１１３１の開口に形成されかつ弾性変形の路線上に位置する。
【００５５】
図１Ｃ、図５Ａと図５Ｂを参照すると、調節スイッチ１１１５は、滑動式スイッチであり、カバー１２に近づく方向またはカバー１２から離れる方向に滑動することができる。前記調節スイッチ１１１５がカバー１２に近づく方向に滑動するとき、送風部１１２の送風速度が増加し、最大の送風速度まで達することができる。前記調節スイッチ１１１５がカバー１２から離れる方向に滑動するとき、送風部１１２の送風速度が減少し、送風速度が０まで減少することができる。すなわち停電状態になることができる。本実施例において、調節スイッチ１１１５の具体的な滑動方向を制限しない。調節スイッチ１１１５がカバー１２に近づく方向に滑動するとき、送風部１１２の送風速度が増加し、調節スイッチ１１１５がカバー１２から離れる方向に滑動するとき、送風部１１２の送風速度が減少するものであればいずれもよい。
【００５６】
図５Ａと図５Ｂを参照すると、調節スイッチ１１１５のカバー１２に近づいている一端には突起部１１１５１が形成され、本体ケース１１１１上にはカバー１２と結合固定される切欠口１１１３３が形成されている。具体的に、前記切欠口１１１３３は本体カバー１１１３上に形成される。切欠口１１１３３の開口方向は突起部１１１５１に向き、調節スイッチ１１１５がカバー１２に近づく方向に滑動するとき突起部１１１５１は切欠口１１１３３の底部へ移動する。本考案において、カバー１２と本体１１を連結させるとき、カバー１２と本体カバー１１１３が連結されることによりカバー１２は本体１１に連結され、カバー１２の辺縁部一部分により切欠口１１１３３の開口が遮られ、突起部１１１５１が切欠口１１１３３内に固定されるカバー１２に当接することにより、突起部１１１５１が切欠口１１１３３の底部へ更に移動することを防止することができる。本実施例において、筒体１１１４には開口１１１４２が更に形成され、調節スイッチ１１１５は前記開口１１１４２の方向に移動することができる。突起部１１１５１が前記切欠口１１１３３内に送入されるとき、突起部１１１５１の長さＬは調節スイッチ１１１５が開口１１１４２内で滑動する距離ｄより大きい。
【００５７】
本実施例において、調節スイッチ１１１５がカバー１２に近づく方向に移動するとき、突起部１１１５１もカバー１２に近づく方向に一緒に移動し、調節スイッチ１１１５がカバー１２から離れる方向に移動するとき、突起部１１１５１もカバー１２から離れる方向に一緒に移動する。カバー１２と本体１１を連結させる前、送風部１１２が過度に回転することにより使用者の使用に干渉を与えることを防止するため、調節スイッチ１１１５をカバー１２から離れる方向に滑動させかつ送風部１１２の送風速度を０にする。カバー１２と本体１１が連結されるとき、カバー１２は本体１１に着脱可能に連結される。そのとき、カバー１２の辺縁部一部分により切欠口１１１３３が遮られ、カバー１２と本体１１が分離しないとき突起部１１１５１は切欠口１１１３３の底部へ更に移動することができない。すなわち送風部１１２全体がカバー１２内に位置しているとき、調節スイッチ１１１５は送風部１１２の送風速度を増加させることができず、モーター１１２１は扇風機頭部１１２３の回転を駆動することができない。扇風機頭部１１２３がカバー１２内で回転することを防止し、制動状態においてモーター１１２１が長く作動することによりモーター１１２１が焼損することを防止し、送風部１１２が損壊することを避け、扇風機１０の使用寿命を増加させることができる。使用者が扇風機１０を使用しないときもカバー１２と本体１１を連結させることができる。そのとき、カバー１２を移動させることにより送風部１１２と本体部１１１を同一の直線上に位置させ、かつカバー１２を本体部１１１に結合させることができる。カバー１２を本体部１１１上に結合させるとき、カバー１２の辺縁部一部分により切欠口１１１３３が遮られ、調節スイッチ１１１５をカバー１２から離れる方向に滑動させかつモーター１１２１を制御しない位置まで移動させる。その場合カバー１２を結合させることにより電源を更にオフさせることができる。
【００５８】
以上、本考案の好適な実施例を詳述してきたが、前記実施例は本考案の例示にしか過ぎないものであるため、本考案は前記実施例の構成にのみ限定されるものではなく、本考案の要旨を逸脱しない範囲内において設計の変更等をすることができ、それらがあっても本考案に含まれることは勿論である。
【符号の説明】
【００５９】
１０        扇風機
１１        本体
１２        カバー
１１１      本体部
１１２      送風部
１１３      弾力部
１１２１    モーター
１１２２    ケース
１１２３    扇風機頭部
１１２４    出力端
１１２５    固定ベース
１１２６    羽根
１１１１    本体ケース
１１１２    電源モジュール
１１１３    本体カバー
１１１４    筒体
１１１５    調節スイッチ
１１１６    回路基板
１１１７    セル
１１１８    入力ポート
１１１９    出力ポート
１１２０    パイロットランプ
１１１４１  挿入溝
１１２７    第一収納溝
１１１３１  第二収納溝
１１２８    第一位置決め部
１１１３２  第二位置決め部
１１１５１  突起部
１１１３３  切欠口
１１１３４  止動部
１１１４２  開口
１１２５１  上カバー
１１２５２  下カバー
１１２６１  結合軸
１１２５４  第一軸孔構造
１１２５６  第二軸孔構造
１１２５７  結合溝
２１２３    扇風機頭部
２１２５    固定ベース
２１２６    羽根
２１２５１  上カバー
２１２５２  下カバー
２１２６１  結合軸
２１２５３  軸孔
２１２５７  切欠口
３１３２  扇風機頭部
３１２５  固定ベース
３１２６  羽根
３１２６１  結合軸
３１２５３  軸孔
３１２５７  切欠口
【図１Ａ】
0003227395.tif 000003
【図１Ｂ】
0003227395.tif 000004
【図１Ｃ】
0003227395.tif 000005
【図１Ｄ】
0003227395.tif 000006
【図２Ａ】
0003227395.tif 000007
【図２Ｂ】
0003227395.tif 000008
【図２Ｃ】
0003227395.tif 000009
【図２Ｄ】
0003227395.tif 000010
【図２Ｅ】
0003227395.tif 000011
【図３】
0003227395.tif 000012
【図４Ａ】
0003227395.tif 000013
【図４Ｂ】
0003227395.tif 000014
【図４Ｃ】
0003227395.tif 000015
【図５Ａ】
0003227395.tif 000016
【図５Ｂ】
0003227395.tif 000017